(57)【要約】      （修正有）【課題】タイマー装置で計測する時間が長時間に及ぶ場合に、タイマーのタイムアップまでの間に行う仕事や用事のスケジュールを立てやすくすると同時に、タイムアップとなったことを看過・失念してタイマーの設定時間を徒過するおそれを低減するタイマー装置を提供する。【解決手段】コンピュータと、時計時刻表示部６と、タイマー時間表示部７と、設定ボタン８Ｍ、８Ｓと、スタート／ストップボタン９と、報知装置を有する。ボタン９がオンされると、コンピュータによりタイマー時間表示部７に表示された計測時間のカウントダウン表示が開始されると同時に、時計時刻表示部６の表示モードが、現在時刻の表示から、タイマーの終了時刻の表示に切り替わる。【選択図】図２
0003171984.tif 000002
【実用新案登録請求の範囲】
【請求項１】
現在時刻を計時する時計を備えたタイマー装置において、当該装置の動作を統括制御するコンピュータと、前記時計で計時した現在時刻をデジタル表示する時計時刻表示部と、タイマーに設定された計測時間とその計時をデジタル表示するタイマー時間表示部と、タイマーに計測時間を設定するための設定ボタンと、タイマーを起動／停止させるスタート／ストップボタンと、タイマーのタイムアップを報せる報知装置とを有し、前記コンピュータが、タイマーを起動させるスタートボタンがオンされたときに、タイマーに設定された計測時間の計時を開始させると同時に、その計測時間の時間量を前記時計で計時する現在時刻に加算してタイマーの終了時刻を求め、前記時計時刻表示部の表示モードを現在時刻の表示から前記終了時刻の表示に切り替える制御信号を出力するようにプログラムされていることを特徴とするタイマー装置。
【請求項２】
前記タイマーのタイムアップ後に前記ストップボタンがオンされると、前記コンピュータから、前記報知装置の作動を停止させる制御信号と、前記時計時刻表示部の表示モードを前記終了時刻の表示から現在時刻の表示に切り替える制御信号とが出力される請求項１記載のタイマー装置。
【請求項３】
前記時計時刻表示部が、現在時刻を表示する表示モードとなっているときに、表示時刻が現在時刻であることを示す「現在時刻」の文字が表示され、タイマーの終了時刻を表示する表示モードとなっているときに、表示時刻がタイマーの終了時刻であることを示す「終了時刻」の文字が表示される液晶ディスプレイで形成されている請求項１又は２記載のタイマー装置。
【請求項４】
前記タイマー時間表示部が、４桁の７セグメント液晶ディスプレイで形成されて、前記設定ボタンが、分単位で１〜９９分間の計測時間を設定する「分」設定ボタンと、秒単位で１〜５９秒間の計測時間を設定する「秒」設定ボタンとからなる請求項１、２又は３記載のタイマー装置。
【請求項５】
前記タイマー時間表示部が、５桁の７セグメント液晶ディスプレイで形成されて、前記設定ボタンが、分単位で１〜９９９分間の計測時間を設定する「分」設定ボタンと、秒単位で１〜５９秒間の計測時間を設定する「秒」設定ボタンとからなる請求項１、２又は３記載のタイマー装置。
【請求項６】
前記タイマー時間表示部が、少なくとも５桁の７セグメント液晶ディスプレイで形成されて、前記設定ボタンが、１時間単位で少なくとも９時間の計測時間を設定する「時間」設定ボタンと、分単位で１〜５９分間の計測時間を設定する「分」設定ボタンと、秒単位で１〜５９秒間の計測時間を設定する「秒」設定ボタンとからなる請求項１、２又は３記載のタイマー装置。
【考案の詳細な説明】
【技術分野】
【０００１】
本考案は、現在時刻を計時する時計を備えたタイマー装置に係り、特に、数十分間〜１時間以上の長い時間を計測する用途に好適なタイマー装置に関する。
【背景技術】
【０００２】
キッチンタイマーとして市販されているタイマー装置は、プラスチックで成形された器体ケースの前面に、分単位で１〜９９分間の計測時間を設定する「分」設定ボタンと、秒単位で１〜５９秒間の計測時間を設定する「秒」設定ボタンと、それら設定ボタンで設定された計測時間とその計時をデジタル表示する４桁の７セグメント液晶ディスプレイからなるタイマー時間表示部とが設けられたものが一般的である。
【０００３】
また、タイマーの計時のみならず、現在時刻も認識して、時間スケジュールの管理が容易に行えるようにするために、現在時刻を計時する時計と、当該時計で計時した現在時刻をデジタル表示もしくはアナログ表示する時計時刻表示部とを備えたタイマー装置（特許文献１参照）や、現在時刻を計時する時計と、時計時刻表示部と、時報放送を受信する受信装置とを備えて、放送される時報に合わせて時計の狂いを自動的に修正するタイマー装置（特許文献２参照）なども提案されている。
【０００４】
ところで、電子レンジ、電気オーブン、電気炊飯器、電気圧力鍋、パン焼き器等のキッチン用家電製品は、最適な稼働時間を自動又は手動で設定して、その設定時間が経過すると自動的に稼働を停止させるオフ・タイマーが装備されているから、これら家電製品の稼働時間を別途タイマー装置を用いて計測する必要はないが、例えば市販の簡易なパン発酵器は、タイマーの計測時間の上限が６時間であるものや、タイマーを装備していないものもあり、天然酵母などを６時間以上かけて発酵させる場合は、その６時間以上の発酵時間を計測できるタイマー装置が別途必要となる。また、タイマーを装備していない一般の鍋で作る煮物やカレー、シチュー、ラーメン用スープなどの煮込み時間を計測する場合もタイマー装置が必要となる。
【０００５】
しかし、天然酵母の発酵時間は、６時間以上であり、また、カレーやシチューの煮込み時間は、少なくとも数十分〜１時間以上とされ、飲食店におけるラーメン用スープの煮込み時間は、少なくとも２時間以上、通常６時間以上とされており、このような長い時間をタイマー装置で計測する場合は、タイマータイムアップまでの待ち時間（残り時間）を利用して他の仕事や用事を行うのが通常であるが、その仕事・用事をタイマー装置から離れた場所に移動して行う場合は、タイマーのタイムアップを報せるブーピ音が聞こえなかったり、あるいはこれを聞き逃がすなどして、タイムアップとなったことを看過・失念し、タイマーの設定時間を徒過することがあった。
【０００６】
また、タイマー装置を移動場所へ持参・携行すれば、タイムアップを報せるブーピ音を聞き逃してタイマーの設定時間を徒過するおそれはないし、タイマー装置のタイマー時間表示部を見て、タイムアップまでの残り時間を知ることができるが、その残り時間は、タイマー時間表示部を見ている間も、例えば、「９３分００秒」→「９２分５９秒」→「９２分５８秒」…の如く秒刻みで刻々と変化し、しかも、「９３分」や「９２分」というような時間の長さは、日常的な時間感覚では即座に把握しづらいものであるから、タイムアップまでの間に行う仕事や用事のタイムスケジュールを立てづらいという問題があった。
【先行技術文献】
【特許文献】
【０００７】
【特許文献１】特開２００４−２９４３９９号公報
【特許文献２】特開平８−２１２６２１号公報
【考案の概要】
【考案が解決しようとする課題】
【０００８】
本考案は、タイマーの計測時間が長時間に及ぶ場合に、そのタイムアップまでの間に行う仕事や用事のタイムスケジュールを立てやすくすると同時に、タイマーのタイムアップを看過・失念してタイマーの設定時間を徒過するおそれを低減することを解決課題としている。
【課題を解決するための手段】
【０００９】
上記課題を解決するために、本考案は、現在時刻を計時する時計を備えたタイマー装置において、当該装置の動作を統括制御するコンピュータと、前記時計で計時した現在時刻をデジタル表示する時計時刻表示部と、タイマーに設定された計測時間とその計時をデジタル表示するタイマー時間表示部と、タイマーに計測時間を設定するための設定ボタンと、タイマーを起動／停止させるスタート／ストップボタンと、タイマーのタイムアップを報せる報知装置とを有し、前記コンピュータが、タイマーを起動させるスタートボタンがオンされたときに、タイマーに設定された計測時間の計時を開始させると同時に、その計測時間の時間量を前記時計で計時する現在時刻に加算してタイマーの終了時刻を求め、前記時計時刻表示部の表示モードを現在時刻の表示から前記終了時刻の表示に切り替える制御信号を出力するようにプログラムされていることを特徴とする。
【考案の効果】
【００１０】
本考案のタイマー装置は、タイマーに設定された計測時間の計時が開始されると、時計で計時した現在時刻を表示する時計時刻表示部に、現在時刻に代えて、タイマーの終了時刻が表示されるので、タイマーの計測時間が長時間に及ぶときは、タイマータイムアップとなるまでの間に行う仕事や用事のタイムスケジュールを立てやすいという効果があり、また、タイマータイムアップとなるまでの間に、身に付けた腕時計や携帯電話に装備された時計、あるいは室内に設置された置時計や壁掛け時計などで現在時刻を時折チェックすることにより、タイマーの終了時刻までの残り時間の長さを、日頃身に付けた日常的な時間感覚によって瞬時に感知・把握することができるから、タイマー装置から離れた場所で仕事や用事を行うときに、タイマーのタイムアップを看過・失念してタイマーの設定時間を徒過するおそれが低減されるという効果もある。
【図面の簡単な説明】
【００１１】
【図１】本考案の実施例１に係るタイマー装置とその動作１を示す正面図
【図２】本考案の実施例１に係るタイマー装置とその動作２を示す正面図
【図３】本考案の実施例１に係るタイマー装置とその動作３を示す正面図
【図４】本考案の実施例１に係るタイマー装置とその動作４を示す正面図
【図５】本考案の実施例１に係るタイマー装置の構成を示すブロック図
【図６】本考案の実施例１に係るタイマー装置におけるコンピュータの処理手順を示すフローチャート
【図７】本考案の実施例２に係るタイマー装置の正面図
【図８】本考案の実施例３に係るタイマー装置の正面図
【考案を実施するための形態】
【００１２】
本考案に係るタイマー装置の実施形態は、当該タイマー装置の動作を統括制御するコンピュータと、現在時刻を計時する時計と、当該時計で計時した現在時刻をデジタル表示する時計時刻表示部と、タイマーに設定された計測時間とその計時をデジタル表示するタイマー時間表示部と、タイマーに計測時間を設定するための設定ボタンと、タイマーを起動／停止させるスタート／ストップボタンと、タイマーのタイムアップを報せるブーピ音等を発生する報知装置とを有している。
【００１３】
タイマー装置の動作を統括制御するコンピュータは、タイマーを起動させるスタートボタンがオンされたときに、タイマーに設定された計測時間の計時を開始させると同時に、その計測時間の時間量を時計で計時する現在時刻に加算してタイマーの終了時刻を求め、時計時刻表示部の表示モードを現在時刻の表示からタイマーの終了時刻の表示に切り替える制御信号を出力するようにプログラムされている。
【００１４】
そして、タイマータイムアップとなったときに、コンピュータから、報知装置を作動させる制御信号が出力されて、当該報知装置からタイマーのタイムアップを報せるブーピ音が発せられる。また、タイマーのタイムアップ後にタイマーを停止させるストップボタンがオンされると、コンピュータから、報知装置の作動を停止させる制御信号が出力されると同時に、時計時刻表示部の表示モードをタイマーの終了時刻の表示から現在時刻の表示に切り替える制御信号が出力されて、時計時刻表示部に表示されていたタイマーの終了時刻が消去されて、当該時刻表示部に現在時刻が表示されるようになっている。
【００１５】
時計時刻表示部は、現在時刻を表示する表示モードとなっているときに、その表示時刻が現在時刻であることを示す「現在時刻」の文字が表示され、タイマーの終了時刻を表示する表示モードとなっているときに、その表示時刻がタイマーの終了時刻であることを示す「終了時刻」の文字が表示される液晶ディスプレイで形成されている。
【００１６】
タイマーに計測時間を設定するための設定ボタンは、分単位で１〜９９分間又は９９９分間の計測時間を設定する「分」設定ボタンと、秒単位で１〜５９秒間の計測時間を設定する「秒」設定ボタンとで構成されるか、あるいは、１時間単位で少なくとも９時間の計測時間を設定する「時間」設定ボタンと、分単位で１〜５９分間の計測時間を設定する「分」設定ボタンと、秒単位で１〜５９秒間の計測時間を設定する「秒」設定ボタンとで構成されている。
【００１７】
タイマーに設定された計測時間とその計時をデジタル表示するタイマー時間表示部は、前記設定ボタンによって設定される計測時間を表示するのに必要な桁数を有する７セグメント液晶ディスプレイで形成されている。
【実施例１】
【００１８】
実施例１のタイマー装置は、硬質プラスチックで成形された器体ケース１の内部に、タイマー装置の動作を統括制御するコンピュータ２と、現在時刻を計時するクロックＩＣからなる時計３と、後述の設定ボタンによって任意に設定された計測時間を計時するタイマーＩＣからなるタイマー（減算タイマー）４と、「ピッ、ピッ、ピッ…」等のブーピ音を発生させる電子音発生器からなる報知装置５とを搭載した配線基板（図示せず）と、タイマー装置の電源となる乾電池を交換可能に装填する電池ケース（図示せず）とが設置されている（図５参照）。
【００１９】
そして、器体ケース１の前面には、時計３によって計時される現在時刻をデジタル表示する時計時刻表示部６と、タイマー４に設定された計測時間とその計時をデジタル表示するタイマー時間表示部７と、タイマー４に分単位で１〜９９分間の計測時間を設定する「分」設定ボタン８Ｍと、秒単位で１〜５９秒間の計測時間を設定する「秒」設定ボタン８Ｓと、ボタンをクリックするごとにスイッチのオン／オフが切り替わってタイマー４を起動／停止させるスタート／ストップボタン９とが配設されている（図１〜図４参照）。
【００２０】
時計時刻表示部６は、秒表示を省略して、「００：００」〜「２３：５９」の時・分表示のみを行う４桁の７セグメント液晶ディスプレイで形成されており、当該液晶ディスプレイは、後述のとおり、時計時刻表示部６が現在時刻を表示する表示モードとなっているときに、表示時刻が現在時刻であることを示す「現在時刻」の文字が表示され（図１、図４参照）、タイマーの終了時刻を表示する表示モードとなっているときに、表示時刻がタイマーの終了時刻であることを示す「終了時刻」の文字が表示される（図２、図３参照）ように構成されている。
【００２１】
また、タイマー時間表示部７は、「００分」〜「９９分」の２桁の分表示と「００秒」〜「５９秒」の２桁の秒表示とが行える４桁の７セグメント液晶ディスプレイで形成されている。
【００２２】
コンピュータ２は、中央演算装置（ＣＰＵ）、記憶装置、制御装置等を備えたワンチップマイクロコンピュータからなり、図１に示すように、「分」設定ボタン８Ｍないし「秒」設定ボタン８Ｓの指押し操作によって、タイマー４に例えば９０分間の計測時間が設定されると、タイマー時間表示部７にその設定された計測時間「９０分００秒」を表示して、図６のタイムチャートに示す処理を実行開始し、まずステップ（１）で、スタートボタン９がオンされたか否かを判定する。
【００２３】
そして、スタートボタン９が図２の如く指押ししてオンされると、ステップ（２）に移行して、タイマー４に設定された計測時間のカウントダウンと、タイマー時間表示部７に表示された計測時間「９０分００秒」のカウントダウン表示とを開始させる制御信号を出力すると同時に、その計測時間に相当する時間量（９０分）を、時計３で計時する現在時刻（例えば１２時３０分）に加算して、タイマーの終了時刻（１４時００分）を求める演算処理を行って、時計時刻表示部６の表示を現在時刻「１２：３０」の表示（図１参照）からタイマーの終了時刻「１４：００」の表示（図２参照）に切り替える制御信号を出力する。
【００２４】
なお、時計時刻表示部６は、秒表示を省略して時・分表示のみを行う４桁の７セグメント液晶ディスプレイで形成されているため、前記演算処理は、タイマー４に設定された計測時間から秒単位の時間を切り捨てて行い、これにより、時計時刻表示部６には、現在時刻「１２：３０」と「現在時刻」の文字の表示に代えて、タイマーの終了時刻「１４：００」と「終了時刻」の文字とが表示される。
【００２５】
次に、ステップ（３）に移行して、タイマー４がタイムアップとなったか否かを判定し、図３の如くタイマー時間表示部７のカウントダウン表示が「００分００秒」となり、タイムアップとなったときに、ステップ（４）に移行して、報知装置５を作動させる制御信号を出力し、当該報知装置５からタイマーのタイムアップを報せる「ピッ、ピツ、ピツ、…」等のブーピ音を発生させる。
【００２６】
次いで、ステップ（５）に移行して、ストップボタン９がオンされたか否かを判定し、当該ボタン９がオンされると、ステップ（６）に移行して、報知装置５の作動を停止させる制御信号を出力すると同時に、時計時刻表示部６の表示モードをタイマーの終了時刻「１４：００」を表示するモードから時計３で計時した現在時刻を表示するモードに切り替える制御信号を出力する。
【００２７】
これにより、報知装置５から発生するブーピ音が停止すると同時に、時計時刻表示部６の表示が、図２及び図３の如く、タイマーの終了時刻「１４：００」と「終了時刻」の文字とを表示するものから、図４の如く、時計３で計時される現在時刻「１４：０１」と「現在時刻」の文字とを表示するものに切り替わる。なお、コンピュータ２は、「分」設定ボタン８Ｍと「秒」設定ボタン８Ｓとが同時に押されると、タイマー４に設定された計測時間をクリアしてタイマー４をリセットする制御信号を出力する。
【００２８】
以上のように、実施例１のタイマー装置は、スタートボタン９がオンされると、タイマー４に設定された計測時間９０分の計時が開始されて、タイマー時間表示部７に表示された計測時間「９０分００秒」が秒刻みで「８９分５９秒」→「８９分５８秒」…の如くカウントダウン表示されると同時に、時計時刻表示部６の表示が、現在時刻「１２：３０」と「現在時刻」の文字とが表示されていたものから、タイマーの終了時刻「１４：００」と「終了時刻」の文字とが表示されたものへと切り替わる。
【００２９】
これにより、タイマータイムアップとなる時刻が１４時であることを知ることができるから、例えば、１３時までに第１の仕事・用事を済ませ、１３時から１４時までの間に第２の仕事・用事を済ませるというように、タイマータイムアップまでの間に行う仕事や用事の予定が立てやすくなると共に、その仕事・用事を行っている最中に、腕時計や携帯電話に装備された時計、あるいは室内に設置された置時計や壁掛け時計などで現在時刻を時折チェックして、タイマーの終了時刻「１４：００」までの残り時間を日常的な時間感覚で瞬時に把握することができるから、タイマー装置から離れた場所で仕事や用事を行うときに、タイマーのタイムアップを看過・失念してタイマーの設定時間を徒過するおそれが低減されることとなる。
【実施例２】
【００３０】
図７に示す実施例２のタイマー装置は、時計時刻表示部６が、「００：００：００」〜「２３：５９：５９」の時・分・秒表示を行う６桁の７セグメント液晶ディスプレイで形成されると共に、タイマー時間表示部７が、「０００分」〜「９９９分」の３桁の分表示と「００秒」〜「５９秒」の２桁の秒表示とを行う５桁の７セグメント液晶ディスプレイで形成されて、「分」設定ボタン８Ｍが、分単位で１〜９９９分間の計測時間を設定することができる構成となっている点で、実施例１のタイマー装置と相違し、その他の構成は、実施例１のタイマー装置と略共通している。
【００３１】
１時間半余りの時間を計測できる実施例１のタイマー装置は、家庭用キッチンタイマーとしては略用が足りるが、一般家庭においても、２時間近くあるいはそれ以上の時間をかけて煮込む煮込み料理などを行うこともあり、このような場合は、その煮込み料理の調理時間を計測することができない。これに対し、実施例２のタイマー装置は、１６時間余りの長時間まで計測可能であるから、家庭用キッチンタイマーとしてのみならず、飲食店等で使用する業務用タイマーとして、例えば、通常６時間以上かけてじっくりと煮込み、最低でも２時間以上煮込むことが必要とされるラーメン用スープの煮込み時間を計測する用途等に好適であり、また、工業用のタイマー装置としても有用性が高いものである。
【００３２】
また、実施例２のタイマー装置は、図７のタイマー時間表示部７に表示したように最長「９９９分５９秒」まで計測可能であるが、例えば、天然酵母の発酵時間やラーメン用スープの煮込み時間として６時間３０分の時間を計測する場合は、その計測時間をタイマー時間表示部７に「３９０分００秒」の如く設定することとなり、このような分・秒表示のみでは、タイマータイムアップまでに行う仕事や用事のスケジュールを立てづらいが、スタートボタン９をオンしてタイマー４の計時を開始すると、時計時刻表示部６に、それまで表示されていた現在時刻（例えば「１２：３０：４６」）に代えて、タイマーの終了時刻（例えば「１９：００：４６」）が表示され、その終了時刻を知ることによってタイマータイムアップまでに行う仕事や用事のスケジュールが立てやすくなる。
【実施例３】
【００３３】
図８に示す実施例３のタイマー装置は、時計時刻表示部６が、「００：００：００」〜「２３：５９：５９」の時・分・秒表示を行う６桁の７セグメント液晶ディスプレイで形成されると共に、タイマー時間表示部７が、「０時間」〜「９時間」（又は「００時間」〜「９９時間」）の時間表示と、「００分」〜「５９分」の分表示と、「００秒」〜「５９秒」の秒表示とを行う５桁（又は６桁）の７セグメント液晶ディスプレイで形成され、更に、分単位で１〜５９分間の計測時間を設定する「分」設定ボタン８Ｍと、秒単位で１〜５９秒間の計測時間を設定する「秒」設定ボタン８Ｓに加えて、１時間単位で１〜９時間（又は１〜９９時間）の計測時間を設定する「時間」設定ボタン８Ｈが設けられた構成となっている点において、実施例１のタイマー装置と相違し、その他の構成は、実施例１のタイマー装置と略共通している。
【００３４】
また、実施例２のタイマー装置との比較では、当該装置が、「分」設定ボタン８Ｍによって１〜９９９分間の計測時間を分単位で設定する構成となっているのに対し、実施例３のタイマー装置は、１〜９時間（又は１〜９９時間）の計測時間を１時間単位で設定する「時間」設定ボタン８Ｈが設けられ、「分」設定ボタン８Ｍが１〜５９秒間の計測時間を設定するものとなっている点で、実施例２のタイマー装置と相違する。
【００３５】
この相違点により、実施例２のタイマー装置は、例えば、６時間３０分の計測時間を設定する場合に、６０分×６＋３０分＝３９０分の暗算を行って、タイマー時間表示部７の３桁の分表示が「０００分」から「３９０分」に達するまで、「分」設定ボタン８Ｍを長く押し続けなければならないという面倒があるのに対し、実施例３のタイマー装置は、面倒な暗算など行うことなく、「時間」設定ボタン８Ｈと「分」設定ボタン８Ｍの操作によって、６時間３０分の計測時間を簡易迅速に設定することができるという利点がある。
【００３６】
また、実施例３のタイマー装置は、図５に示す電子音発生器からなる報知装置５の外に、タイマータイムアップを光の点滅によって報せるＬＥＤ点滅灯からなる報知装置１０が、器体ケース１の前面に設けられている。これにより、タイマーのタイムアップ時にブーピ音を発する同種のタイマー装置を複数個同時に使用する場合に、タイムアップとなったタイマー装置を視覚で判別することができるという利点がある。なお、報知装置１０は、実施例１及び２に係るタイマー装置の器体ケース１の前面にも設けることができる。
【００３７】
また、実施例３のタイマー装置に設けるコンピュータ２は、「時間」設定ボタン８Ｈ、「分」設定ボタン８Ｍ、「秒」設定ボタン８Ｓの計３つの設定ボタンのうち、「分」設定ボタン８Ｍと「秒」設定ボタン８Ｓの２つが同時に押されたときに、タイマー４に設定された時・分・秒の計測時間を全てクリアしてタイマー４をリセットするようにプログラムされており、器体ケース１の前面には、そのことを示す「リセット」の文字が印刷表示されている。
【産業上の利用可能性】
【００３８】
本考案は、数十分ないし数時間以上の長い時間を計測するのに好適なタイマー装置を提供するものである。
【符号の説明】
【００３９】
１…器体ケース
２…コンピュータ
３…時計
４…タイマー（減算タイマー）
５…報知装置（電子音発生器）
６…時計時刻表示部
７…タイマー時間表示部
８Ｈ…「時間」設定ボタン
８Ｍ…「分」設定ボタン
８Ｓ…「秒」設定ボタン
９…スタート／ストップボタン
１０…報知装置（ＬＥＤ点滅灯）
【図１】
0003171984.tif 000003
【図２】
0003171984.tif 000004
【図３】
0003171984.tif 000005
【図４】
0003171984.tif 000006
【図５】
0003171984.tif 000007
【図６】
0003171984.tif 000008
【図７】
0003171984.tif 000009
【図８】
0003171984.tif 000010